(57)【要約】【課題】枠消し設定を原稿画像毎に変えることができる画像読取装置及び画像形成装置を提供する。【解決手段】操作パネル２のタッチパネルディスプレイに表示される枠消し設定画面において、第１の原稿画像に対応する表面用枠消し設定と第２の原稿画像に対応する裏面用枠消し設定とを行うことにより、それらの枠消し設定に基づいて枠消し部１８により枠消し処理がなされ、第１および第２の原稿画像が読み取られて印刷部４１により用紙に印刷される。【選択図】図１
2008245312.tif 000002
【特許請求の範囲】
【請求項１】
両面原稿の表面および裏面から第１および第２の原稿画像を読み取り、又は第１および第２の片面原稿から第１および第２の原稿画像をそれぞれ読み取る読取手段と、
前記第１の原稿画像に対して枠消し設定を行う第１の枠消し設定手段と、
前記第２の原稿画像に対して枠消し設定を行う第２の枠消し設定手段と、
前記第１および第２の枠消し設定手段によって個別に設定された前記枠消し設定を適用して枠消し処理がされた原稿画像を出力する出力手段とを備えたことを特徴とする画像読取装置。
【請求項２】
両面原稿の表面および裏面から第１および第２の原稿画像を読み取り、又は第１および第２の片面原稿から第１および第２の原稿画像をそれぞれ読み取る読取手段と、
前記第１の原稿画像に対して枠消し設定を行う第１の枠消し設定手段と、
前記第２の原稿画像に対して枠消し設定を行う第２の枠消し設定手段と、
前記読取手段によって前記第１および第２の原稿画像を読み取るとき、前記第１および第２の枠消し設定手段によって個別に設定された前記枠消し設定を適用して枠消しされた前記第１および第２の原稿画像を読み取るよう前記読取手段を制御する制御手段とを備えことを特徴とする画像読取装置。
【請求項３】
前記第１および第２の枠消し設定手段は、前記第１および第２の原稿画像に対して上枠、下枠、左枠あるいは右枠を消す前記枠消し設定を行うことを特徴とする請求項１又は２に記載の画像読取装置。
【請求項４】
前記第１および第２の枠消し設定手段は、前記枠消しされる前記上枠、前記下枠、前記左枠あるいは前記右枠の枠消し量を設定する枠消し量設定手段を備えたことを特徴とする請求項３に記載の画像読取装置。
【請求項５】
前記第１および第２の枠消し設定手段は、前記第１の原稿画像に対して第１の枠消し設定を行った後、前記第２の原稿画像に対して前記第１の枠消し設定と同一であることを設定する同一設定手段を備えたことを特徴とする請求項１又は２に記載の画像読取装置。
【請求項６】
両面原稿の表面および裏面から第１および第２の原稿画像を読み取り、又は第１および第２の片面原稿から第１および第２の原稿画像をそれぞれ読み取る読取手段と、
前記第１の原稿画像に対して枠消し設定を行う第１の枠消し設定手段と、
前記第２の原稿画像に対して枠消し設定を行う第２の枠消し設定手段と、
前記第１および第２の枠消し設定手段によって個別に設定された前記枠消し設定を適用して枠消し処理がされた原稿画像を出力する出力手段と、
前記出力手段により出力された原稿画像を印刷出力する印刷手段とを備えたことを特徴とする画像形成装置。
【発明の詳細な説明】
【技術分野】
【０００１】
本発明は、デジタル複写機，プリンタ，ファクシミリ，複合機等の画像形成装置に適用される画像読取装置及び画像形成装置に関し、特に、枠消し設定を原稿画像毎に変えることができる画像読取装置及び画像形成装置に関する。
【背景技術】
【０００２】
従来、複写装置において、原稿カバーを開いたままスキャンしたときや、冊子原稿をスキャンしたときに、冊子原稿の周りや中央の綴じ部分に黒い影ができることがある。複写装置は、このような影等の不要な画像を削除する原稿枠消しと呼ばれる機能が実現されている（例えば、特許文献１参照。）。
【０００３】
図１０は、この特許文献１の枠消しを適用した例を示す。（ａ）は、１枚の両面原稿を片面印刷した場合における用紙の上下の枠消しの例を示す。１枚の原稿５０の表面５０ａには、画像「Ｆ」が形成されており、原稿５０の裏面５０ｂには、画像「Ａ」が形成されている。この原稿５０を片面印刷した場合、１枚目の用紙６０Ａの表面６０ａには、上枠部７０ａおよび下枠部７０ｂが、２枚目の用紙６０Ｂの表面６０ａには、上枠部７０ａおよび下枠部７０ｂが形成されている。この上枠部７０ａ，下枠部７０ｂは、文字、画像を印刷しない部分であり、この上枠部７０ａ、下枠部７０ｂ等の枠の大きさは、ユーザがそれぞれ別個に設定していた。
【０００４】
上枠部７０ａ、下枠部７０ｂ等の枠は、用紙の上下の他、以下に示す部分に設けられる。すなわち、左枠部７０ａおよび右枠部７０ｂ（図１０（ｂ））、下枠部７０ｂ（図１０（ｃ））、上枠部７０ａ（図１０（ｄ））、右枠部７０ｄ（図１０（ｅ））および左枠部７０ｃ（図１０（ｆ））である。その他、冊子原稿の中央の綴じ部分の枠消しがある。これらの枠部の大きさも、ユーザが設定していた。これにより原稿カバーを開いたままスキャンしたときや、冊子原稿をスキャンしたときに、冊子原稿の周りや中央の綴じ部分に生じる黒い影が印刷されなくなるため、印刷された用紙の見栄えがよくなる。
【特許文献１】特開平８−１２５８５３号公報（段落番号（００３５）、図４）
【発明の開示】
【発明が解決しようとする課題】
【０００５】
しかし、従来の画像読取装置によると、例えば、両面原稿を読み取る場合、原稿５０の表面５０ａと原稿の裏面５０ｂとで枠消し設定を変えることができなかったため、原稿表面５０ａは枠消しされて読み取りが行われたが、原稿裏面５０ｂは、冊子原稿の周りや中央の綴じ部分に生じる黒い影を残して読み取ってしまい、１枚目の用紙６０Ａの表面６０ａと２枚目の用紙６０Ｂの表面６０ｂとで見栄えが異なって印刷されるおそれがある。
【０００６】
従って、本発明の目的は、枠消し設定を原稿画像毎に変えることができる画像読取装置及び画像形成装置を提供することにある。
【課題を解決するための手段】
【０００７】
本発明は、上記目的を達成するため、両面原稿の表面および裏面から第１および第２の原稿画像をそれぞれ読み取り、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記第１および第２の枠消し設定手段によって個別に設定された前記枠消し設定を適用して枠消し処理がされた原稿画像を出力する出力手段とを備えたことを特徴とする画像読取装置を提供する。
【０００８】
本発明は、上記目的を達成するため、両面原稿の表面および裏面から第１および第２の原稿画像をそれぞれ読み取り、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記読取手段によって前記第１および第２の原稿画像を読み取るとき、前記第１および第２の枠消し設定手段によって個別に設定された前記枠消し設定を適用して枠消しされた前記第１および第２の原稿画像を読み取るよう前記読取手段を制御する制御手段とを備えことを特徴とする画像読取装置を提供する。
【０００９】
前記第１および第２の枠消し設定手段は、前記第１および第２の原稿画像に対して上枠、下枠、左枠あるいは右枠を消す前記枠消し設定を行ってもよい。
【００１０】
前記第１および第２の枠消し設定手段は、前記枠消し設定される前記上枠、前記下枠、前記左枠あるいは前記右枠の枠消し量を設定する枠消し量設定手段を備えてもよい。
【００１１】
前記第１および第２の枠消し設定手段は、前記第１の原稿画像に対して第１の枠消し設定を行った後、前記第２の原稿画像に対して前記第１の枠消し設定と同一であることを設定する同一設定手段を備えてもよい。
【００１２】
前記第１および第２の枠消し設定手段は、前記読取手段により読み取られた原稿が前記両面原稿であるとき、前記両面原稿が左右開きか上下開きかを選択する原稿開き選択手段を備え、前記制御手段は、前記原稿開き選択手段によって前記左右開きが選択された場合は、前記第１の原稿画像に対して左枠消し設定を前記第２の原稿画像の右枠消し設定として適用するとともに、前記第１の原稿画像に対して設定された右枠消し設定を前記第２の原稿画像の左枠消し設定として適用し、前記原稿開き選択定手段によって前記上下開きが選択された場合は、前記第１の原稿画像に対して設定された上枠消し設定を前記第２の原稿画像の下枠消し設定として適用するとともに、前記第１の原稿画像に対して設定された下枠消し設定を前記第２の原稿画像の上枠消し設定として適用して枠消しされた前記第１および第２の原稿画像を読み取るよう前記読取手段を制御してもよい。
【００１３】
前記第１および第２の枠消し設定手段は、用紙の両面に印刷する際に用紙の表面の画像と裏面の画像を左右方向に綴じる位置関係で印刷するか、または上下方向に綴じる位置関係で印刷するかを指定する用紙綴じ方向選択手段を備え、前記制御手段は、前記用紙綴じ方向選択手段によって左右綴じが選択された場合は、前記第１の原稿画像に対して設定された左枠消し設定を用紙の裏面に印刷される全ての原稿画像の右枠消し設定として適用するとともに、前記第１の原稿画像に対して設定された右枠消し設定を用紙の裏面に印刷される全ての原稿画像の左枠消し設定として適用し、前記用紙綴じ方向選択手段によって上下綴じが選択された場合は、前記第１の原稿画像に対して設定された上枠消し設定を用紙の裏面に印刷される全ての原稿画像の下枠消し設定として適用するとともに、前記第１の原稿画像に対して設定された下枠消し設定を用紙の裏面に印刷される全ての原稿画像の上枠消し設定として適用して枠消しされた前記第１および第２の原稿画像を読み取るよう前記読取手段を制御してもよい。
【００１４】
本発明は、上記目的を達成するため、原稿がプラテンにセットされたか自動給紙装置にセットされたかを検出する検出手段と、両面原稿の表面および裏面、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記検出手段によって前記原稿が前記プラテンにセットされたことを検出した場合は、前記読取手段によって前記第１および第２の原稿画像を読み取るとき、前記第１および第２の枠消し設定手段によって個別に設定された前記枠消し設定を適用して枠消しされた前記第１および第２の原稿画像を読み取るよう前記読取手段を制御し、前記検出手段によって前記原稿が前記自動給紙装置にセットされたことを検出した場合は、前記第１および第２の原稿画像に対して前記第１の原稿画像に対して設定された前記枠消しを適用するよう前記読取手段を制御する制御手段とを備えたことを特徴とする画像読取装置を提供する。
【００１５】
本発明は、上記目的を達成するため、両面原稿の表面および裏面、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記読取手段によって奇数頁目の前記第１の原稿画像を読み取る場合は、前記第１の枠消し設定手段によって前記第１の原稿画像に対して設定された前記枠消し設定を適用し、偶数頁目の前記第２の原稿画像を読み取る場合は、前記第２の枠消し設定手段によって前記第２の原稿画像に対して設定された前記枠消し設定を適用して枠消しされた前記第１および第２の原稿画像を読み取るよう前記読取手段を制御する制御手段とを備えたことを特徴とする画像読取装置を提供する。
【００１６】
本発明は、上記目的を達成するため、原稿がプラテンにセットされたか自動給紙装置にセットされたかを検出する検出手段と、両面原稿の表面および裏面、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記検出手段によって前記原稿が前記プラテンにセットされたことを検出した場合は、前記読取手段によって奇数頁目の前記第１の原稿画像を読み取るとき、前記第１の枠消し設定手段によって前記第１の原稿画像に対して設定された前記枠消し設定を適用し、偶数頁目の前記第２の原稿画像を読み取るとき、前記第２の枠消し設定手段によって前記第２の原稿画像に対して設定された前記枠消し設定を適用して枠消しされた前記第１および第２の原稿画像を読み取るよう前記読取手段を制御し、前記検出手段によって前記原稿が前記自動給紙装置にセットされたことを検出した場合は、前記第１および第２の原稿画像に対して前記第１の原稿画像に対して設定された前記枠消しを適用するよう前記読取手段を制御する制御手段とを備えたことを特徴とする画像読取装置を提供する。
【００１７】
本発明は、上記目的を達成するため、両面原稿の表面および裏面から第１および第２の原稿画像を読み取り、又は第１および第２の片面原稿から第１および第２の原稿画像をそれぞれ読み取る読取手段と、前記第１の原稿画像に対して枠消し設定を行う第１の枠消し設定手段と、前記第２の原稿画像に対して枠消し設定を行う第２の枠消し設定手段と、前記第１および第２の枠消し設定手段によって個別に設定された前記枠消し設定を適用して枠消し処理がされた原稿画像を出力する出力手段と、前記出力手段により出力された原稿画像を印刷出力する印刷手段とを備えたことを特徴とする画像形成装置を提供する。
【発明の効果】
【００１８】
本発明によれば、複数の原稿画像に対して個別に枠消し設定を行うことができ、枠消し設定を原稿画像毎に変えることができる。
【発明を実施するための最良の形態】
【００１９】
図１は、本発明の実施の形態に係る画像読取装置及び画像形成装置が適用されたデジタル複写機のブロック図を示す。このデジタル複写機は、このデジタル複写機全体を制御するコントローラ１と、ユーザの操作によってＮｕｐ（Ｎｉｎ１と同義）の設定等の各種の入力が可能な操作パネル２と、原稿から画像を読み取って入力する画像入力部３と、用紙に画像を印字して出力する画像出力部４とを有する。
【００２０】
操作パネル２は、原稿の読み取り開始を指示するスタートボタン、コピーや通信作業を中止するストップボタン等の複数のボタンの他、タッチパネルディスプレイを備える。タッチパネルディスプレイは、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００２１】
画像入力部３は、原稿が１枚ずつ載置される原稿台と、原稿束を自動的に１枚ずつ原稿台に供給するＡＤＦ（自動給紙装置）と、ＣＣＤ（Charge Coupled Device）等の固体撮像素子によって原稿の画像を指定された読取倍率で光学的に１枚ずつ読み取る画像読取部とを備えている。
【００２２】
画像出力部４は、用紙を印刷位置まで供給する用紙供給部４０と、印刷位置に供給された用紙に画像を印刷する印刷部４１と、両面印刷する場合に用紙を反転する用紙反転部４２と、印刷された用紙を排紙する排紙部４４と、この画像出力部４の各部を制御し、コントローラ１との間で情報の送受信を行う出力制御部４５とを備える。
【００２３】
コントローラ１は、操作パネル２、画像入力部３および画像出力部４との間で情報の送受信をそれぞれ行う操作パネルＩ／Ｆ１０、画像入力部Ｉ／Ｆ１１および画像出力部Ｉ／Ｆ１２と、画像をページ単位で記憶するページメモリ１３と、プログラムや画像等のデータを記憶するシステムメモリ１４と、圧縮された画像を記憶するＨＤＤ１５と、システムメモリ１４に記憶されたプログラムに基づいてコントローラ１の各部を制御するとともに、このデジタル複写機全体を制御するメインＣＰＵ１６と、画像データの圧縮、伸長、合成等の画像処理を行う画像処理部１７と、操作パネル２のタッチパネルディスプレイを操作することにより設定した枠消し量に応じて画像入力部３の画像読取部に対し原稿画像の枠消し情報を送る枠消し部１８とを備える。
【００２４】
図２は、デジタル複写機のタッチパネルディスプレイの枠消し設定画面を示す。この枠消し設定画面２０は、両面原稿の表面側あるいは１枚目の片面原稿についてテンキーにより入力された枠消し量を表示する表面用枠消し量表示部２１ａ，２１ｂ，２１ｃ，２１ｄと、両面原稿の裏面側あるいは２枚目の片面原稿についてテンキーにより入力された枠消し量を表示する裏面用枠消し量表示部２２ａ，２２ｂ，２２ｃ，２２ｄと、裏面の枠消し量が表面の枠消し量と同一量を設定する同一設定キー２３ａと、裏面の枠消し量が表面の枠消し量と対称となる量を設定する対称設定キー２３ｂとからなる。
【００２５】
同一設定キー２３ａは、両面原稿の表面側あるいは１枚目の片面原稿の枠消し設定と両面原稿の裏面側あるいは２枚目の片面原稿の枠消し設定とが同一である場合に、両面原稿の裏面側あるいは２枚目の片面原稿の枠消し設定のために各設定値を入力しなくても、両面原稿の表面側あるいは１枚目の片面原稿の枠消し設定と同一となるような値を自動的に入力するものである。
【００２６】
対称設定キー２３ｂは、両面原稿の裏面側あるいは２枚目の片面原稿の枠消し量が両面原稿の表面側あるいは１枚目の片面原稿の枠消し量と対称となるような値を自動的に入力するものである。例えば、両面原稿の表面側あるいは１枚目の片面原稿の左枠の枠消しの設定は、原稿開き手段が左右開きの場合、両面原稿の裏面側あるいは２枚目の片面原稿の右枠の枠消しの設定とされる。両面原稿の表面側あるいは１枚目の片面原稿の上枠の枠消しの設定は、両面原稿の裏面側あるいは２枚目の片面原稿の上枠の枠消しの設定とされる。また、原稿開き手段が上下開きの場合、例えば、両面原稿の表面側あるいは１枚目の片面原稿の上枠の枠消しの設定は、両面原稿の裏面側あるいは２枚目の片面原稿の下枠の枠消しの設定とされる。両面原稿の表面側あるいは１枚目の片面原稿の左枠の枠消しの設定は、両面原稿の裏面側あるいは２枚目の片面原稿の左枠の枠消しの設定とされる。
【００２７】
表面用枠消し量表示部２１ａ，２１ｂ，２１ｃ，２１ｄは、上から、両面原稿の表面の上側の枠消し量、同原稿の下側の枠消し量、同原稿の左側の枠消し量、同原稿の右側の枠消し量をそれぞれ表示する。同様に、裏面用枠消し量表示部２２ａ，２２ｂ，２２ｃ，２２ｄは、上から、両面原稿の裏面の上側の枠消し量、同原稿の下側の枠消し量、同原稿の左側の枠消し量、同原稿の右側の枠消し量をそれぞれ表示する。
【００２８】
以下、図１〜図９を参照しながら、本実施の形態のデジタル複写機の動作を説明する。
【００２９】
図３および図４は、本実施の形態に係るデジタル複写機による第１〜第５の出力例として、両面原稿を用紙の片面に印刷する場合を示す。まず、図３（ａ）に示す第１の出力例について説明する。
（１）原稿のセット
まず、ユーザは、両面に画像が形成された原稿５をＡＤＦにセットする。
【００３０】
（２）印刷モードの選択
ユーザは、メインスイッチをオンにすると、コントローラ１のメインＣＰＵ１６は、操作パネル２のタッチパネルディスプレイにメニュー選択画面を表示する。ユーザがメニュー選択画面から、両面印刷から片面印刷を行う印刷モードを選択する。
【００３１】
（３）枠消し設定
印刷モードを選択した後、ユーザは、枠消し設定を選択する。枠消し設定が選択されると、メインＣＰＵは、タッチパネルディスプレイ上に図２に示すような枠消し設定画面２０を表示する。ユーザが、原稿５の表面５ａの左側の枠消し量をテンキーによりｍｍ単位で入力すると、メインＣＰＵ１６は、枠消し量表示部２１ｃに左側の枠消し量を表示する。
【００３２】
次に、原稿５の裏面５ｂについて、ユーザが、裏面５ｂの上側の枠消し量をテンキーによりｍｍ単位で入力すると、メインＣＰＵ１６は、枠消し量表示部２２ａに上側の枠消し量を表示する。
【００３３】
次に、ユーザは、用紙の両面に印刷する際に用紙の表面の画像と裏面の画像を左右方向に綴じる位置関係で印刷するか、または上下方向に綴じる位置関係で印刷するかという原稿開きを指定する。
【００３４】
（４）印刷
次に、ユーザが操作パネル２のスタートボタンを押下すると、ＡＤＦは、原稿５を原稿台に１枚ずつ供給する。画像読取部は、ＡＤＦから供給される原稿５から原稿画像「Ｆ」，「Ａ」を順次読み取る。この原稿画像「Ｆ」，「Ａ」は、枠消し部１８からの枠消し情報に従って枠消しされて読み取られたものである。読み取られた原稿画像「Ｆ」，「Ａ」は、画像入力部Ｉ／Ｆ１１を介してコントローラ１に送られ、その原稿画像「Ｆ」，「Ａ」は、ページメモリ１３に一時的に記憶され、画像処理部１７によって圧縮され、システムメモリ１４へ転送された後、ＨＤＤ１５に蓄積される。その後、ＨＤＤ１５から枠消し処理された原稿画像「Ｆ」，「Ａ」は、画像処理部１７に送られ、画像処理部１７により伸長され、画像出力部Ｉ／Ｆ１２を介して出力制御部４５に供給される。
【００３５】
次に、コントローラ１のメインＣＰＵ１６との通信により設定された印刷条件に従って以下のように印刷される。用紙供給部４０から用紙６Ａの供給を受けると、印刷部４１は、図３（ａ）に示すように、原稿５の表面５ａの原稿画像「Ｆ」を１枚目の用紙６Ａの表面６ａに印刷する。出力制御部４５は、印刷が終わったことを検出すると、排紙部４４により用紙６Ａを排紙し、用紙供給部４０により新しい用紙６Ｂを供給する。印刷部４１は、原稿５の裏面５ｂの原稿画像「Ａ」を２枚目の用紙６Ｂの表面６ａに印刷する。
【００３６】
このとき、枠消し設定が行われているため、例えば、１枚目の用紙６Ａの表面６ａの左側には、画像が印刷されずに枠消しがされる左枠部７ｃが形成される。同様に、２枚目の用紙６Ｂの表面６ａの上側には、画像が印刷されずに枠消しがされる上枠部７ａが形成される。なお、後述する下枠部、右枠部も同様に、画像が印刷されずに枠消しがされる領域である。
【００３７】
図３（ｂ）は、第２の出力例として、１枚目の用紙６Ａの表面６ａと２枚目の用紙６Ｂの表面６ａの枠消し量が同一の場合を示す。図２の枠消し量設定画面２０において、ユーザが原稿５の表面５ａの枠消し量（ここでは左側および上側の枠消し量）を入力した後、同一設定キー２３ａを押下し、表面５ａと裏面５ｂの枠消し量を同一に設定する。１枚目の用紙６Ａの表面６ａおよび２枚目の用紙６Ｂの表面６ａには図３（ａ）と同様に原稿画像「Ａ」、「Ｆ」が印刷され、その左側および上側には、左枠部７ｃおよび上枠部７ａが形成される。
【００３８】
図３（ｃ）は、第３の出力例として、１枚目の用紙６Ａの表面６ａと２枚目の用紙６Ｂの表面６ａの枠消し量が点対称の場合を示す。図２の枠消し量設定画面２０において、ユーザが原稿表面５ａの枠消し量（ここでは左側および上側の枠消し量）を入力した後、対称設定キー２３ｂを押下し、表面５ａと裏面５ｂの枠消し量を点対称となるように設定する。ここで、対称となる設定は、縦の線対称と横の線対称と点対称とがあるが、予め印刷モードあるいは左右開きか上下開きか等の枠消し設定に応じて設定されているものとする。１枚目の用紙６Ａの表面６ａには、原稿画像「Ｆ」が印刷され、その左側および上側には、左枠部７ｃおよび上枠部７ａが形成される。２枚目の用紙６Ｂの表面６ａには、原稿画像「Ａ」が印刷され、その右側および下側には、右枠部７ｄおよび下枠部７ｂが形成される。
【００３９】
図４（ａ）は、第４の出力例として、１枚目の用紙６Ａの表面６ａと２枚目の用紙６Ｂの表面６ａの枠消し量が縦の線対称の場合を示す。図２の枠消し量設定画面２０において、ユーザが原稿５の表面５ａの枠消し量（ここでは左側および上側の枠消し量）を入力した後、対称設定キー２３ｂを押下し、表面５ａと裏面５ｂの枠消し量（ここでは左側および上側の枠消し量）を縦の線対称となるように設定する。１枚目の用紙６Ａの表面６ａには、原稿画像「Ｆ」が印刷され、その左側および上側には、左枠部７ｃ枠部および上枠部７ａが形成される。２枚目の用紙６Ｂの表面６ａには、原稿画像「Ａ」が印刷され、その右側および上側には、右枠部７ｄおよび上枠部７ａが形成される。
【００４０】
図４（ｂ）は、第５の出力例として、１枚目の用紙６Ａの表面６ａと２枚目の用紙６Ｂの表面６ａの枠消し量が横の線対称の場合を示す。図３（ａ）〜（ｃ）および図４（ａ）までは、原稿５が左右開きであるが、図４（ｂ）は上下開きに設定するものである。従って、原稿５の裏面５ｂの画像「Ａ」は、原稿５の表面５ａの画像「Ｆ」とは逆さまとなっている。図２の枠消し量設定画面２０において、ユーザが原稿５の表面５ａの枠消し量（ここでは左側および上側の枠消し量）を入力した後、対称設定キー２３ｂを押下し、表面５ａと裏面５ｂの枠消し量（ここでは右側および上側の枠消し量）を横の線対称となるように設定する。１枚目の用紙６Ａの表面６ａには、原稿画像「Ｆ」が印刷され、その左側および上側には、左枠部７ｃおよび上枠部７ａが形成される。２枚目の用紙６Ｂの表面６ａには、原稿画像「Ａ」が逆さまとなって印刷される。その右側および上側には、右枠部７ｄおよび上枠部７ａが形成される。
【００４１】
図５および図６は、本実施の形態に係るデジタル複写機による第６〜第１１の出力例として、２枚の片面原稿を１枚の用紙に両面印刷する場合を示す。
【００４２】
図５（ａ）は、第６の出力例として、１枚目の用紙６Ａの表面６ａと２枚目の用紙６Ｂの表面６ａの枠消し量が同一の場合を示す。図２の枠消し量設定画面２０において、ユーザが１枚目の原稿５Ａの表面５ａの枠消し量（ここでは左側の枠消し量）を入力した後、同一設定キー２３ａを押下し、１枚目の原稿５Ａの表面５ａと２枚目の原稿５Ｂの表面５ａの枠消し量を同一に設定する。用紙６の表面６ａには、原稿画像「Ｆ」が印刷され、その左側に左枠部７ｃが形成される。用紙６の裏面６ｂには、原稿画像「Ａ」が印刷され、その左側には左枠部７ｃが形成される。
【００４３】
図５（ｂ）は、第７の出力例として、１枚目の用紙６Ａの表面６ａと２枚目の用紙６Ｂの表面６ａの枠消し量が縦の線対称の場合を示す。図２の枠消し量設定画面２０において、ユーザが１枚目の原稿５Ａの表面５ａの枠消し量（ここでは左側の枠消し量）を入力した後、対称設定キー２３ｂを押下し、１枚目の原稿５Ａの表面５ａと２枚目の原稿５Ｂの表面５ａの枠消し量を縦の線対称となるように設定する。用紙６の表面６ａには、原稿画像「Ｆ」が印刷され、その左側に左枠部７ｃが形成される。用紙６の裏面６ｂには、原稿画像「Ａ」が印刷され、その右側には右枠部７ｄが形成される。
【００４４】
図６（ａ）は、第８の出力例として、用紙６の表面６ａと裏面６ｂの枠消し量が同一の場合を示す。図２の枠消し量設定画面２０において、ユーザが１枚目の原稿５Ａの表面５ａの枠消し量（ここでは左側および上側の枠消し量）を入力した後、同一設定キー２３ａを押下し、１枚目の原稿５Ａの表面５ａと２枚目の原稿５Ｂの表面５ａの枠消し量を同一に設定する。用紙６の表面６ａは原稿画像「Ｆ」が印刷され、その左側および上側に左枠部７ｃおよび上枠部７ａが形成される。用紙６の裏面６ｂには、原稿画像「Ａ」が印刷され、その左側および上側には、左枠部７ｃおよび上枠部７ａが形成される。
【００４５】
図６（ｂ）は第９の出力例として、用紙６の表面６ａと裏面６ｂの枠消し量が縦の線対称の場合を示す。図２の枠消し量設定画面２０において、ユーザが１枚目の原稿５Ａの表面５ａの枠消し量（ここでは左側および上側の枠消し量）を入力した後、対称設定キー２３ｂを押下し、１枚目の原稿５Ａの表面５ａと２枚目の原稿５Ｂの表面５ａの枠消し量を縦の線対称となるように設定する。用紙６の表面６ａは、原稿画像「Ｆ」が印刷され、その左側に左枠部７ｃおよび上側に上枠部７ａが形成される。用紙６の裏面６ｂには、原稿画像「Ａ」が印刷され、その右側には、右枠部７ｄおよび上枠部７ａが形成される。
【００４６】
図６（ｃ）は、第１０の出力例として、用紙６の表面６ａと裏面６ｂの枠消し量が同一の場合を示す。図５（ａ），（ｂ）および図６（ａ）（ｂ）は、用紙６が左右開きであるが、図６（ｃ）は用紙６を上下開きに設定するものである。図２の枠消し量設定画面２０において、ユーザが１枚目の原稿５Ａの表面５ａの枠消し量（ここでは左側および上側の枠消し量）を入力した後、同一設定キー２３ａを押下し、１枚目の原稿５Ａの表面５ａと２枚目の原稿５Ｂの表面５ａの枠消し量を同一に設定する。用紙６の表面６ａは、原稿画像「Ｆ」が印刷され、その左側および上側には左枠部７ｃおよび上枠部７ａが形成され、用紙６の裏面６ｂには、原稿画像「Ａ」が印刷され、その左枠部７ｃおよび上枠部７ａが形成される。
【００４７】
図６（ｄ）は、第１１の出力例として、用紙６の表面６ａと裏面６ｂの枠消し量が横の線対称の場合を示す。第１０の出力例と同様用紙６を上下開きに設定するものである。図２の枠消し量設定画面２０において、ユーザが１枚目の原稿５Ａの表面５ａの枠消し量（ここでは左側および上側の枠消し量）を入力した後、対称設定キー２３ｂを押下し、１枚目の原稿５Ａの表面５ａと２枚目の原稿５Ｂの表面５ａの枠消し量を横の線対称となるように設定する。用紙６の表面６ａには、原稿画像「Ｆ」が印刷され、その左側および上側には左枠部７ｃおよび上枠部７ａが形成され、用紙６の裏面６ｂには、原稿画像「Ａ」が印刷され、その左側および下側には左枠部７ｃおよび下枠部７ｂが形成される。
【００４８】
図７は、第１２の出力例として、２枚の原稿画像を１枚の用紙に印刷する２アップ（２ｉｎ１）であって、１枚目の用紙６Ａの表面６ａと２枚目の用紙６Ｂの表面６ａの枠消し量が同一の場合を示す。図２の枠消し量設定画面２０において、ユーザが原稿表面５ａの枠消し量（ここでは左側の枠消し量）を入力した後、同一設定キー２３ａを押下して１枚目の原稿５Ａの表面５ａおよび２枚目の原稿５Ｂの表面５ａの枠消し量を同一に設定する。図７では、原稿は４枚５Ａ，５Ｂ，５Ｃ，５Ｄであるので、１枚目の原稿５Ａおよび２枚目の原稿５Ｂは、１枚目の用紙６Ａの表面６ａに、３枚目の原稿５Ｃおよび４枚目の原稿５Ｄは、２枚目の用紙６Ｂの表面６ａに、それぞれ印刷される。１枚目の用紙６Ａの表面６ａの左側および２枚目の用紙６Ｂの左側には、左枠部７ｃがそれぞれ形成される。
【００４９】
図８は、本実施の形態に係るデジタル複写機による第１３〜第１５の出力例として２アップ（２ｉｎ１）で両面印刷の場合を示す。図８（ａ）は、第１３の出力例として、用紙６の表面６ａと裏面６ｂの枠消し量が同一の場合を示す。図２の枠消し量設定画面２０において、ユーザが原稿５Ａの表面５ａの枠消し量（ここでは左側の枠消し量）を入力した後、同一設定キー２３ａを押下して１枚目の原稿５Ａの表面５ａおよび２枚目の原稿５Ｂの表面５ａの枠消し量を同一に設定する。用紙６の表面６ａには、１枚目の原稿画像および２枚目の原稿画像が印刷され、その左側に左枠部７ｃが形成される。同様に用紙６の裏面６ｂには、３枚目の原稿画像および４枚目の原稿画像が印刷され、その左側に左枠部７ｃが形成される。
【００５０】
図８（ｂ）は、第１４の出力例として、用紙６の表面６ａと裏面６ｂの枠消し量が縦の線対称の場合を示す。図２の枠消し量設定画面２０において、ユーザが１枚目の原稿５Ａの表面５ａの枠消し量（ここでは左側の枠消し量）を入力した後、対称設定キー２３ｂを押下して１枚目の原稿５Ａの表面５ａおよび２枚目の原稿５Ｂの表面５ａの枠消し量を縦の線対称となるように設定する。用紙６の表面６ａには、１枚目の原稿画像および２枚目の原稿画像が印刷され、その左側に左枠部７ｃが形成される。用紙６の裏面６ｂには、３枚目の原稿画像および４枚目の原稿画像が印刷され、その右側に右枠部７ｄが形成される。
【００５１】
図８（ｃ）は、第１５の出力例として、用紙６の表面６ａと２枚目の用紙６Ｂの表面６ａの枠消し量が横の線対称の場合を示す。用紙６は、上下開きに設定するものである。図２の枠消し量設定画面２０において、ユーザが１枚目の原稿５Ａの表面５ａの枠消し量（ここでは左側の枠消し量）を入力した後、対称設定キー２３ｂを押下して１枚目の原稿５Ａの表面５ａおよび２枚目の原稿５Ｂの表面５ａの枠消し量を横の線対称となるように設定する。用紙６の表面６ａには、１枚目の原稿画像および２枚目の原稿画像が印刷され、その左側に左枠部７ｃが形成される。用紙６の裏面６ｂには、３枚目の原稿画像および４枚目の原稿画像が印刷され、その左側に左枠部７ｃが形成される。
【００５２】
図９は、本実施の形態に係るデジタル複写機による第１６および第１７の出力例として、４アップで片面印刷の場合を示す。ここで、１枚目の原稿５Ａおよび２枚目の原稿５Ｂは、用紙６の上段に左右に並べて印刷され、３枚目の原稿５Ｃおよび４枚目の原稿５Ｄは、用紙６の下段に左右に並べて印刷される。
【００５３】
図９（ａ）は、第１６の出力例として、用紙６の表面６ａの枠消し量が、奇数枚目の原稿と偶数頁目の原稿とで同一の場合を示す。図２の枠消し量設定画面２０において、ユーザが１枚目の原稿５Ａの表面５ａの枠消し量（ここでは左側の枠消し量）を入力した後、同一設定キー２３ａを押下し、１枚目の原稿５Ａの表面５ａと２枚目の原稿５Ｂの表面５ａの枠消し量を同一に設定する。ここで奇数頁目の原稿は、１枚目の原稿と同様の枠消し設定がされ、偶数頁目の原稿は、２枚目の原稿と同様の枠消し設定がなされる。用紙６の表面６ａは、その上段に１枚目および２枚目の原稿画像が印刷され、その各々の左側に印刷されずに枠消しがされた左枠部７ｃ，７ｃが形成され、用紙６の表面６ａの下段は、３枚目および４枚目の原稿画像が印刷され、その各々の左側に左枠部７ｃが形成される。
【００５４】
図９（ｂ）は、第１７の出力例として、用紙６の表面６ａの枠消し量が、奇数枚目の原稿と偶数頁目の原稿とで線対称の場合を示す。図２の枠消し量設定画面２０において、ユーザが１枚目の原稿５Ａの表面５ａの枠消し量（ここでは左側の枠消し量）を入力した後、対称設定キー２３ｂを押下し、１枚目の原稿５Ａの表面５ａと２枚目の原稿５Ｂの表面５ａの枠消し量を横の線対称に設定する。ここで奇数頁目の原稿は、１枚目の原稿と同様の枠消し設定がされ、偶数頁目の原稿は、２枚目の原稿と同様の枠消し設定がなされる。用紙６の表面６ａは、その上段に１枚目および２枚目の原稿画像が印刷され、その左側に印刷されずに枠消しがされた左枠部７ｃおよび右側に印刷されずに枠消しがされた右枠部７ｄが形成される。用紙６の表面６ａの下段は、３枚目および４枚目の原稿画像が印刷され、その左右に左枠部７ｃおよび右枠部５ｄが形成される。
【００５５】
本発明の実施の形態によれば、原稿５の表面５ａと裏面５ｂとで枠消しの部位や枠消し量を変えることで、出力される用紙６Ａ，６Ｂに原稿の汚れや影などを取り除くことができるため、片面印刷する際の各面を見栄えよく印刷することができる。
また、１枚目の原稿５Ａの表面５ａと２枚目の原稿５Ｂの表面５ａとで枠消しの部位や枠消し量を変えることで、出力される用紙６の表面６ａおよび裏面６ｂに原稿の汚れや影などを取り除くことができるため、両面印刷する際の各面を見栄えよく印刷することができる。
また、同一設定記キー２３ａや対称設定キー２３ｂを押下することにより、裏面５ｂの枠消し量を入力しなくても、表面５ａの枠消し量を同一または対称となるように設定できるので、入力の手間を軽減できる。
さらに、印刷モードに対して共通の枠消し設定画面を用いるので、ユーザの操作が簡素化される。この場合、表示部２１ａ〜２１ｄ，２２ａ〜２２ｄ，設定キー２３ａ，２３ｂの意味が印刷モードにより異なるときがあるが、その意味をメッセージとして表示するようにしてもよい。
【００５６】
なお、上記実施の形態では、本発明の画像形成装置をデジタル複写機に適用した場合について説明したが、プリンタ，ファクシミリ，複合機等の他の装置に適用してもよい。
枠消しは、上枠、下枠、左枠あるいは右枠の他に、冊子原稿の中央の綴じ部分に設定してもよい。このようにすることで、冊子原稿の中央の綴じ部分に生じる黒い影を除去することができ、印刷品質を向上させることができる。
また、上記実施の形態では、ＡＤＦにより原稿を自動的に供給したが、プラテン上に１枚ずつ原稿を載置して画像を読み取ってもよい。
また、複数のパーソナルコンピュータ（ＰＣ）をネットワークを介して共通の画像形成装置に接続し、ＰＣから画像形成装置に印刷条件、印刷指示や画像転送を行ってもよい。これにより、遠隔操作により効率的なコピーを行うことができる。
また、原稿開き方向については上述の通りであるが、本発明は、用紙綴じ方向についても同様に適用することができる。
また、原稿がプラテンにセットされたかＡＤＦにセットされたかを検出するセンサを設け、第１の原稿画像に対して設定された枠消しをセンサの検出結果に応じて他の原稿画像に適用してもよい。
また、原稿の前面を読み取った後、その原稿画像のうち枠消し設定された領域を消去するようにしてもよい。
【図面の簡単な説明】
【００５７】
【図１】本発明の実施の形態に係る画像読取装置が適用されたデジタル複写機のブロック図を示す。
【図２】本実施の形態に係るデジタル複写機のタッチパネルディスプレイの枠消し設定画面を示す図である。
【図３】本実施の形態に係るデジタル複写機による出力例を示す図で、（ａ）は第１の出力例を示す図、（ｂ）は第２の出力例を示す図、（ｃ）は第３の出力例を示す図である。
【図４】本実施の形態に係るデジタル複写機による出力例を示す図で、（ａ）は、第４の出力例を示す図、（ｅ）は、第５の出力例を示す図である。
【図５】本実施の形態に係るデジタル複写機による出力例を示す図で、（ａ）は第６の出力例を示す図、（ｂ）は第７の出力例を示す図である。
【図６】本実施の形態に係るデジタル複写機による出力例を示す図で、（ａ）は第８の出力例を示す図、（ｂ）は第９の出力例を示す図、（ｃ）は第１０の出力例を示す図、（ｂ）は第１１の出力例を示す図である。
【図７】本実施の形態に係るデジタル複写機による第１２の出力例を示す図である。
【図８】本実施の形態に係るデジタル複写機による出力例を示す図で、（ａ）は第１３の出力例を示す図、（ｂ）は第１４の出力例を示す図、（ｃ）は第１５の出力例を示す図である。
【図９】本実施の形態に係るデジタル複写機による出力例を示す図で、（ａ）は第１６の出力例を示す図、（ｂ）は第１７の出力例を示す図である。
【図１０】（ａ）〜（ｆ）は、従来の複写装置による枠消しを適用した出力例を示す図である。
【符号の説明】
【００５８】
１  コントローラ、２  操作パネル、３  画像入力部、４  画像出力部、５  原稿、５Ａ〜５Ｄ  原稿、５ａ  表面、５ｂ  裏面、６，６Ａ，６Ｂ  用紙、６ａ  表面、６ｂ  裏面、７ａ  上枠部、７ｂ  下枠部、７ｃ  左枠部、７ｂ  右枠部、１０  操作パネルＩ／Ｆ、１１  画像入力部Ｉ／Ｆ、１２  画像出力部Ｉ／Ｆ、１３  ページメモリ、１４  システムメモリ、１５  ＨＤＤ、１６  メインＣＰＵ、１７  画像処理部、１８  枠消し部、２０  枠消し設定画面、２１ａ〜２１ｄ  表面用枠消し量表示部、２２ａ〜２２ｄ  裏面用枠消し量表示部、２３ａ  同一設定キー、２３ｂ  対称設定キー、４０  用紙供給部、４１  印刷部、４２  用紙反転部、４４  排紙部、４５  出力制御部、５０  原稿、
５０ａ  表面、５０ｂ  裏面、６０Ａ，６０Ｂ  用紙、６０ａ  表面、６０ｂ  裏面、７０ａ  上枠部、７０ｂ  下枠部、７０ｃ  左枠部、７０ｄ  右枠部
【図１】
2008245312.tif 000003
【図２】
2008245312.tif 000004
【図３】
2008245312.tif 000005
【図４】
2008245312.tif 000006
【図５】
2008245312.tif 000007
【図６】
2008245312.tif 000008
【図７】
2008245312.tif 000009
【図８】
2008245312.tif 000010
【図９】
2008245312.tif 000011
【図１０】
2008245312.tif 000012